(57)【要約】      （修正有）【課題】自動車用エアクリーナーであって、使用後汚染されたフィルターろ紙だけを交換するろ紙分離型円筒形フィルター及びこれを用いた円筒形エアクリーナーの提供。【解決手段】空気に含まれた異物を除去する円筒形フィルターろ紙5が嵌め込まれるフィルター本体2、円筒形フィルターろ紙5を固定するようにフィルター本体2の連結エンド3-1に結合されるとともに、円筒形フィルターろ紙5を除去できる様に連結エンド3-1と螺子タイプ締結方式やロッキングタイプ嵌め込み方式又は螺子タイプ嵌め込み方式で着脱される下部固定板7を有するろ紙分離型円筒形フィルター１。【効果】使用後汚染された円筒形フィルターろ紙5だけを交換して、円筒形フィルター１の高リサイクルを計り、アフターサービス費用の改善、原価の低減と共に完成車メーカーに対するイメージが向上できる。【選択図】図１
2017001008.tif 000002
【特許請求の範囲】
【請求項１】
空気に含まれた異物を除去する円筒形フィルターろ紙(5);
前記円筒形フィルターろ紙(5)を通過した空気が流入する多数のホールが穿孔され、前記円筒形フィルターろ紙(5)が嵌め込まれるろ紙ホルダー(3);
前記ろ紙ホルダー(3）の両側のエンド部位のうち、一方のエンド部位に備えられ、前記ろ紙ホルダー(3)に嵌め込まれた前記円筒形フィルターろ紙(5）の両側のエンド部位のうち、一方のエンドと接触される上部固定板(4);
前記円筒形フィルターろ紙(5）の両側のエンド部位のうち、他方のエンド部位と接触されるように前記ろ紙ホルダー(3）の両側のエンド部位のうち、他方のエンド部位に備えられた連結エンド(3-1)に結合され、前記円筒形フィルターろ紙(5)を前記ろ紙ホルダー(3)から取り出せるように前記連結エンド(3-1)と分離される下部固定板(7);
を含むことを特徴とする、ろ紙分離型円筒形フィルター。
【請求項２】
前記連結エンド(3-1)と前記下部固定板(7）の結合及び分離構造は螺子タイプ締結方式であることを特徴とする、請求項1に記載のろ紙分離型円筒形フィルター。
【請求項３】
前記螺子タイプ締結方式の構造は、前記連結エンド(3-1）の外周面に形成された雄螺子山(3A）と、前記下部固定板(7)に形成された雌螺子山(7A)とからなることを特徴とする、請求項２に記載のろ紙分離型円筒形フィルター。
【請求項４】
前記雌螺子山(7A）の形成部位は前記連結エンド(3-1）のエンド部位を挿入するように前記下部固定板(7)に形成されたコネクティング溝(7-1）の内周面であることを特徴とする、請求項３に記載のろ紙分離型円筒形フィルター。
【請求項５】
前記連結エンド(3-1)と前記下部固定板(7）の結合及び分離構造はロッキングタイプ嵌め込み方式であり;
前記ロッキングタイプ嵌め込み方式の構造は前記連結エンド(3-1）の周りに間隔をおいて形成された多数の突出面(30A）と、前記下部固定板(7)に形成された多数の段差面(70A)とからなることを特徴とする、請求項1に記載のろ紙分離型円筒形フィルター。
【請求項６】
前記段差面(70A）の形成部位は前記連結エンド(3-1)に挿入されるように前記下部固定板(7)に形成されたコネクティングボス(70-1）の周りであることを特徴とする、請求項５に記載のろ紙分離型円筒形フィルター。
【請求項７】
前記連結エンド(3-1)と前記下部固定板(7）の結合及び分離構造は螺子タイプ嵌め込み方式であり;
前記螺子タイプ嵌め込み方式の構造は前記連結エンド(3-1）の内周面で形成された雌螺子山(7A）と、前記下部固定板(7)に形成された雄螺子山(3A)とからなることを特徴とする、請求項1に記載のろ紙分離型円筒形フィルター。
【請求項８】
前記雄螺子山(3A）の形成部位は前記連結エンド(3-1)に挿入されるように前記下部固定板(7)に形成されたコネクティングボス(70-1）の外周面であることを特徴とする、請求項７に記載のろ紙分離型円筒形フィルター。
【請求項９】
前記円筒形フィルターろ紙(5）の上部と下部の両側のエンド面には前記円筒形フィルターろ紙(5）の形状を維持するように、上部円形紙(5-1)と下部円形紙(5-2)とが各々付着され、前記上部円形紙(5-1）は前記円筒形フィルターろ紙(5)と前記上部固定板(4）の接触面との間で気密(sealing）を確保し、前記下部円形紙(5-2）は前記円筒形フィルターろ紙(5)と前記下部固定板(7）の接触面との間で気密(sealing）を確保することを特徴とする、請求項1に記載のろ紙分離型円筒形フィルター。
【請求項１０】
前記上部固定板(4）と前記下部固定板(7）はプラスチック材質であることを特徴とする、請求項1に記載のろ紙分離型円筒形フィルター。
【請求項１１】
前記連結エンド(3-1）は前記ろ紙ホルダー(3)と一体に形成されたことを特徴とする、請求項1に記載のろ紙分離型円筒形フィルター。
【請求項１２】
空気に含まれた異物を除去する円筒形フィルターろ紙が嵌め込まれるフィルター本体、前記円筒形フィルターろ紙を固定するように前記フィルター本体の連結エンドに結合されるとともに、前記円筒形フィルターろ紙を除去できるように前記連結エンドと螺子タイプ締結方式やロッキングタイプ嵌め込み方式、または螺子タイプ嵌め込み方式中の、いずれか一つで着脱される下部固定板を有するろ紙分離型円筒形フィルター;
前記ろ紙分離型円筒形フィルターを内部に収めたケース(110);
前記ケース(110)に備えられ外部空気を前記ケース(110）の内部に流入させるインレットポート(120-1);
前記ケース(110)に備えられ前記ろ紙分離型円筒形フィルターで浄化された空気を排出させるアウトレットポート(120-2);
を含むことを特徴とする、ろ紙分離型円筒形フィルターを適用した円筒形エアクリーナー。
【請求項１３】
前記インレットポート(120-1）はエンジンに繋がる吸気ラインで前記外部空気を流入し、前記アウトレットポート(120-2）は前記吸気ラインに前記浄化された空気を送り出すことを特徴とする、請求項12に記載のろ紙分離型円筒形フィルターを適用した円筒形エアクリーナー。
【発明の詳細な説明】
【技術分野】
【０００１】
本発明は円筒形エアクリーナーに関するもので、特に円筒形フィルターから円筒形フィルターのろ紙だけを分離できるようにしたろ紙分離型円筒形フィルターを適用した円筒形エアクリーナーに関するものである。
【背景技術】
【０００２】
一般に、エアクリーナーは、外部空気を導入して排出する空気通路を形成したハウジングと、ハウジング内部の空気通路に位置されたろ紙からなるフィルターを含み、車両の吸気系(Intake  System）に導入される外部空気内の異物を除去する。
【０００３】
前記エアクリーナーは、乗用車用の四角形エアクリーナーと商用車用の円筒形エアクリーナーとに分類される。
【０００４】
このうち、円筒形エアクリーナーは、積層されたろ紙を円筒形に巻き取った円筒形フィルターろ紙とこの円筒形状態を維持するように、前後に結合するプラスチック材質の結合部とから構成された円筒形フィルターを適用する。
【０００５】
しかしながら、円筒形エアクリーナーは、使用後汚染された円筒形フィルターろ紙の交換時に円筒形フィルターごと交換しなければならなく、使用後リサイクルのできない円筒形フィルターろ紙とは違って使用後リサイクル可能なプラスチック材質までも捨てざるを得ない。
【０００６】
特に、円筒形フィルターの交換時に、プラスチック材質のリサイクル不可による影響は下記の通りである。第一に、円筒形フィルターろ紙とは違って、引続き使用できるプラスチック材質も強制的に交換されることによって使用者のアフターサービス費用を上昇させる。第２に、消耗品である円筒形フィルターろ紙に合わせてプラスチック材質の結合部の数量が金型を通して生産されることによって、円筒形エアクリーナーの原価上昇をもたらす。第３に、プラスチック材質の結合部の生産のための金型の過度の使用により金型の寿命が短縮され、金型の開発及び管理費用の上昇をもたらす。
【発明の概要】
【発明が解決しようとする課題】
【０００７】
本発明は、このような点に鑑みてなされたもので、その目的は、円筒形フィルターろ紙の分離と固定のために着脱される構造に円筒形フィルターを構成することによって、使用後汚染された円筒形フィルターろ紙だけを交換できるろ紙分離型円筒形フィルター及びこれを適用した円筒形エアクリーナーを提供することにある。
【課題を解決するための手段】
【０００８】
前記のような目的を達成するための本発明に係るろ紙分離型円筒形フィルターは、空気に含まれた異物を除去する円筒形フィルターろ紙;前記円筒形フィルターろ紙を通過した空気が流入する多数のホールが穿孔され、前記円筒形フィルターろ紙が嵌め込まれるろ紙ホルダー;前記ろ紙ホルダーの両側のエンド部位のうち、一方のエンド部位に備えられ、前記ろ紙ホルダーに嵌め込まれた前記円筒形フィルターろ紙の両側のエンド部位のうち、一方のエンドと接触される上部固定板;前記円筒形フィルターろ紙の両側のエンド部位のうち、他方のエンド部位と接触されるように前記ろ紙ホルダーの両側のエンド部位のうち、他方のエンド部位に備えられた連結エンドに結合し、前記円筒形フィルターろ紙を前記ろ紙ホルダーから取り出せるように前記連結エンドと分離される下部固定板;を含むことを特徴とする。
【０００９】
前記連結エンドと前記下部固定板の結合及び分離構造は、螺子タイプの締結方式である。前記螺子タイプ締結方式の構造は、前記連結エンドの外周面で形成された雄螺子山と、前記下部固定板に形成された雌螺子山とからなる。前記雌螺子山の形成部位は前記連結エンドのエンド部位を挿入するように前記下部固定板に形成されたコネクティング溝の内周面である。
【００１０】
前記連結エンドと前記下部固定板の結合及び分離構造は、ロッキングタイプ嵌め込み方式であり;前記ロッキングタイプ嵌め込み方式の構造は、前記連結エンドの周りに間隔をおいて形成された多数の突出面と、前記下部固定板に形成された多数の段差面とからなる。前記段差面の形成部位は、前記連結エンドに挿入されるように前記下部固定板に形成されたコネクティングボスの周りである。
【００１１】
前記連結エンドと前記下部固定板の結合及び分離構造は、螺子タイプ嵌め込み方式であり;前記螺子タイプ嵌め込み方式の構造は、前記連結エンドの内周面で形成された雌螺子山と、前記下部固定板に形成された雄螺子山とからなる。前記雄螺子山の形成部位は、前記連結エンドに挿入されるように前記下部固定板に形成されたコネクティングボスの外周面である。
【００１２】
前記円筒形フィルターろ紙の上部と下部の両側のエンド面には前記円筒形フィルターろ紙の形状を維持するように上部円形紙と下部円形紙とが各々付着され、前記上部円形紙は前記円筒形フィルターろ紙と前記上部固定板の接触面との間で気密(sealing）を確保し、前記下部円形紙は前記円筒形フィルターろ紙と前記下部固定板の接触面との間で気密(sealing）を確保する。
【００１３】
前記上部固定板と前記下部固定板とはプラスチック材質である。前記連結エンドは前記ろ紙ホルダーと一体に形成される。
【００１４】
また、前記のような目的を達成するための本発明の円筒形エアクリーナーは、空気に含まれた異物を除去する円筒形フィルターろ紙が嵌め込まれるフィルター本体、前記円筒形フィルターろ紙を固定するように前記フィルター本体の連結エンドに結合されるとともに、前記円筒形フィルターろ紙を除去できるように前記連結エンドと螺子タイプ締結方式やロッキングタイプ嵌め込み方式、または螺子タイプ嵌め込み方式中のいずれか一つで着脱される下部固定板を有するろ紙分離型円筒形フィルター;前記ろ紙分離型円筒形フィルターを内部に収めたケース;前記ケースに備えられ外部空気を前記ケースの内部に流入させるインレットポート;前記ケースに備えられ前記ろ紙分離型円筒形フィルターで浄化された空気を排出させるアウトレットポート;を含むことを特徴とする。
【００１５】
前記インレットポートは、エンジンに繋がる吸気ラインで前記外部空気を流入し、前記アウトレットポートは、前記吸気ラインに前記浄化された空気を送り出す。
【発明の効果】
【００１６】
このような本発明の円筒形エアクリーナーは、使用後汚染された円筒形フィルターろ紙交換時にプラスチック材質のリサイクルができることによって、以下のような長所と効果を具現する。
【００１７】
第１に、アフターサービス費用の改善という面において、円筒形フィルターを交換する時に円筒形フィルターろ紙だけを交換すれば良いので、プラスチックとスチールとからなるフィルター本体と下部結合板とが占める費用を節減できる。第２に、原価低減の側面で、円筒形フィルターろ紙とともにプラスチック材質も捨てられていた既存の円筒形フィルター製作に比べ、金型の使用量が縮小され金型の寿命を増やすことができ、特に、金型費用の節減によって円筒形フィルターの費用も節減され、円筒形エアクリーナーの費用を低減できる。第３に、イメージ向上の側面で、リサイクル部品を利用した資源の節約及び使用者のアフターサービス費用の改善によって企業のイメージも向上できる。
【図面の簡単な説明】
【００１８】
【図１】本発明の第1実施例に係るろ紙分離型円筒形フィルターの構成図。
【図２】図1によるフィルター本体と下部固定板の着脱構造の詳細構成図。
【図３】本発明の第2実施例に係るろ紙分離型円筒形フィルターの構成図。
【図４】図3によるフィルター本体と下部固定板の着脱構造の詳細構成図。
【図５】図3によるフィルター本体と下部固定板の着脱構造の詳細構成図。
【図６】図3によるフィルター本体と下部固定板の着脱構造の詳細構成図。
【図７】本発明に係るろ紙分離型円筒形フィルターを適用した円筒形エアクリーナーの構成図。
【発明を実施するための形態】
【００１９】
図1、2は、本発明の第1実施例に係るろ紙分離型円筒形フィルターの構成を示す。
【００２０】
図1を参照すれば、第1円筒形フィルター(1）は、フィルター本体(2)、フィルター本体(2)に嵌め込まれる円筒形フィルターろ紙(5)、円筒形フィルターろ紙(5)がフィルター本体(2)に嵌め込まれた状態を維持するようにフィルター本体(2）の一側の部位に結合する下部固定板(7)から構成される。
【００２１】
具体的に、前記フィルター本体(2）は、所定の軸長とされた中空円筒状のろ紙ホルダー(3)、ろ紙ホルダー(3）の一方のエンドに備えられた連結エンド(3-1)、連結エンド(3-1）の反対側でろ紙ホルダー(3)に備えられた上部固定板(4)とから構成される。
【００２２】
前記ろ紙ホルダー(3）の中空柱には空気が通過され中空柱の内部に流入するように多数のホールが穿孔され、中空円筒の軸の長さはろ紙ホルダー(3）の長さに合わせられる。前記連結エンド(3-1）は、ろ紙ホルダー(3)に嵌め込まれた円筒形フィルターろ紙(5)から露出される区間を形成するように、ろ紙ホルダー(3）の中空柱のエンド部位に形成される。特に、前記連結エンド(3-1）は、ろ紙ホルダー(3)に円筒形フィルターろ紙(5)が嵌め込まれた状態で下部固定板(7）と結合されることによって円筒形フィルターろ紙(5)がろ紙ホルダー(3)から抜け出るのを防止する。前記上部固定板(4）は連結エンド(3-1）の反対側部位でろ紙ホルダー(3)に備わることによってろ紙ホルダー(3)に嵌め込まれた円筒形フィルターろ紙(5)がろ紙ホルダー(3)から抜け出されるのを防止する。したがって、前記上部固定板(4）は、中折帽状のハット構造になされる。特に、前記上部固定板(4）は、プラスチック材質からなることによって金型射出成形時にろ紙ホルダー(3)とともに製造される。
【００２３】
その結果、円筒形フィルターろ紙(5)を通過した空気は、ろ紙ホルダー(3)に設けられた多数のホールを通してろ紙ホルダー(3）の内部に流入した後、上部固定板(4)で取り囲まれたろ紙ホルダー(3）の一方のエンド部位を通して排出されることによってフィルター本体(2)を抜け出す。
【００２４】
前記円筒形フィルターろ紙(5）は、フィルターとしての役割を基本とする中空円筒の形状からなり、円筒形フィルターろ紙(5）の中空円筒の形状を維持するように中空円筒の前の部分に上部円形紙(5-1)を、後の部分に下部円形紙(5-2)とを付着させる。特に、前記上部円形紙(5-1）は、上部固定板(4）と円筒形フィルターろ紙(5）の接触面との間で気密(sealing）を確保し、前記下部円形紙(5-2）は、下部固定板(7）と円筒形フィルターろ紙(5）の接触面との間で気密(sealing）を確保する。
【００２５】
前記下部固定板(7）は、円形の板状となり、その中央部位にコネクティング溝(7-1）が形成され、前記コネクティング溝(7-1）の直径は連結エンド(3-1）の直径が挿入されて連結エンド(3-1)と固定力を形成する大きさとされ、前記コネクティング溝(7-1）の深さは連結エンド(3-1）の長さと同一である。したがって、前記下部固定板(7）はコネクティング溝(7-1)で中央部位を低くした皿状の構造とされる。特に、前記下部固定板(7）は、プラスチック材質からなることによって金型射出成形で製造される。
【００２６】
一方、前記下部固定板(7）と前記連結エンド(3-1）との結合構造は、嵌め込み方式、圧入方式、螺子方式などの多様な方式により具現され、本発明の第1実施例では螺子タイプ締結方式で具現される。
【００２７】
図2を参照すれば、前記下部固定板(7）と前記連結エンド(3-1）とは、螺子タイプ締結方式の締結構造を例示する。この場合、前記連結エンド(3-1）は、その外周面で雄螺子山(3A）を形成し、前記下部固定板(7）はコネクティング溝(7-1）の内周面で雌螺子山(7A）を形成する。
【００２８】
したがって、円筒形フィルターろ紙(5)をろ紙ホルダー(3)に嵌め込んで、下部固定板(7）のコネクティング溝(7-1）を連結エンド(3-1)に合わせた後、下部固定板(7）を正回転(時計方向の回転)させると、コネクティング溝(7-1）の雌螺子山(7A）が連結エンド(3-1）の雄螺子山(3A）と螺合することによって下部固定板(7）が連結エンド(3-1)に結合及び固定され、その結果、フィルター本体(2)と結合した円筒形フィルターろ紙(5）は、上部固定板(4）と下部固定板(7）を媒体として拘束されることによって、第1円筒形フィルター(1）の組立てが行われる。
【００２９】
一方、下部固定板(7）を逆回転(反時計方向の回転)させると、連結エンド(3-1)から下部固定板(7）が分離されることによって円筒形フィルターろ紙(5)がフィルター本体(2)から容易に抜かれる第1円筒形フィルター(1）の分解がなされる。このような分離状態で円筒形フィルターろ紙(5)を新しい円筒形フィルターろ紙に取り替えた後、下部固定板(7）を連結エンド(3-1)に再び螺合することによってフィルター本体(2)と下部固定板(7）のリサイクルがなされる。
【００３０】
その結果、前記第1円筒形フィルター(1）の高リサイクルができるようになり、アフターサービス費用の改善、原価の低減がなされる。
【００３１】
一方、図3乃至6は本発明の第2実施例に係るろ紙分離型円筒形フィルターの構成を示す。
【００３２】
図3を参照すれば、第2円筒形フィルター(10）は、図1、2に示された第1円筒形フィルター(1）の構成要素であるフィルター本体(2)、連結エンド(3-1)、上部固定板(4)、円筒形フィルターろ紙(5)、及び下部固定板(7)から構成される。ただし、前記第2円筒形フィルター(10）は、連結エンド(3-1)と下部固定板(7）の結合構造において前記第1円筒形フィルター(1）の結合構造とは相違する構造を有する。このために、前記第1円筒形フィルター(1）の下部固定板(7）がコネクティング溝(7-1)により皿状をなす反面、前記第2円筒形フィルター(10）の下部固定板(7）は突出したコネクティングボス(70-1）となることによって、二重の同心円状をなす差がある。一例として、前記連結エンド(3-1)と前記下部固定板(7）の結合構造は嵌め込み方式を基本として多様に変形される。
【００３３】
図4は、前記連結エンド(3-1)と前記下部固定板(7）の嵌め込み方式がアウターロッキングタイプ嵌め込み方式のものを例示する。この場合、前記連結エンド(3-1）は、その周りに間隔をおいて多数の突出面(30A）を形成し、前記下部固定板(7）はその中央に突出したコネクティングボス(70-1）の周りに間隔をおいて多数の段差面(70A）を形成する。一例として、前記突出面(30A）は90度間隔で4つに形成され、前記段差面(70A）は90度間隔で4つに形成される。特に、前記突出面(30A）は前記段差面(70A）を支持する固定力を形成する。
【００３４】
図5は、図4のアウターロッキングタイプ嵌め込み方式と反対のインナーロッキングタイプ嵌め込み方式を例示する。この場合、前記連結エンド(3-1）はその周りに間隔をおいて多数の段差面(70A）を形成し、前記下部固定板(7）はその中央に突出したコネクティングボス(70-1）の周りに間隔をおいて多数の突出面(30A）を形成する。したがって、前記インナーロッキングタイプ嵌め込み方式の突出面(30A）と段差面(70A）は連結エンド(3-1)に突出面(30A）を形成してコネクティングボス(70-1)に段差面(70A）を形成するアウターロッキングタイプ嵌め込み方式と反対となる構造をなすだけで、その結合方式は同一である。
【００３５】
したがって、円筒形フィルターろ紙(5)をろ紙ホルダー(3)に嵌め込んで、下部固定板(7）のコネクティングボス(70-1)を連結エンド(3-1)に合わせた後、下部固定板(7）を連結エンド(3-1)側に押すと、コネクティングボス(70-1）の段差面(70A）が連結エンド(3-1）の突出面(30A）の間に位置されることによって下部固定板(7）が連結エンド(3-1)に結合及び固定される。すなわち、4つの段差面(70A）を各々第1、2、3、4段差面(70A)とし、4つの突出面(30A）を各々第1、2、3、4突出面(30A)とする時、第1突出面(30A）は第1段差面(70A)に位置され、第2突出面(30A）は第2段差面(70A)に位置され、第３突出面(30A）は第３段差面(70A)に位置され、第4突出面(30A）は第4段差面(70A)に位置される。したがって、第1、2突出面(30A）の間に形成された底面部位には第1、2段差面(70A）の間に形成された突出面部位が位置されることによって、凹凸構造のように噛み合わされる。その結果、フィルター本体(2)と結合した円筒形フィルターろ紙(5）は上部固定板(4）と下部固定板(7）を媒体として拘束されることによって第2円筒形フィルター(1）の組立てが行われる。
【００３６】
一方、下部固定板(7）を連結エンド(3-1)から引っ張って下部固定板(7）を分離すれば、円筒形フィルターろ紙(5)がフィルター本体(2)から容易に抜かれる第2円筒形フィルター(1）の分解状態に切り替えられる。このような分離状態で円筒形フィルターろ紙(5)を新しい円筒形フィルターろ紙に取り替えた後、下部固定板(7）を連結エンド(3-1)に押し入れて再度結合することによってフィルター本体(2)と下部固定板(7）のリサイクルがなされる。
【００３７】
図6は,図4のアウターロッキングタイプ嵌め込み方式や図5のインナーロッキングタイプ嵌め込み方式とは違って螺子タイプ嵌め込み方式を例示する。この場合、前記連結エンド(3-1）はその内周面で雌螺子山(7A）を形成し、前記下部固定板(7）はコネクティングボス(70-1）の外周面で雄螺子山(3A）を形成する。
【００３８】
したがって、円筒形フィルターろ紙(5)をろ紙ホルダー(3)に嵌め込んで、下部固定板(7）のコネクティングボス(70-1)を連結エンド(3-1)に合わせた後、下部固定板(7）を正回転(時計方向の回転)させると、コネクティングボス(70-1）の雄螺子山(3A）が連結エンド(3-1）の雌螺子山(7A）と螺合されることによって下部固定板(7）が連結エンド(3-1)に結合及び固定され、その結果、フィルター本体(2)と結合した円筒形フィルターろ紙(5）は上部固定板(4）と下部固定板(7）を媒体として拘束されることによって第2円筒形フィルター(1）の組立が行われる。
【００３９】
一方、下部固定板(7）を逆回転(反時計方向の回転)させると、連結エンド(3-1)から下部固定板(7）が分離されることによって円筒形フィルターろ紙(5)がフィルター本体(2)から容易に抜かれる第2円筒形フィルター(1）の分解がなされる。このような分離状態で円筒形フィルターろ紙(5)を新しい円筒形フィルターろ紙に取り替えた後、下部固定板(7）を連結エンド(3-1)に再度螺合することによってフィルター本体(2)と下部固定板(7）のリサイクルがなされる。
【００４０】
その結果、前記第2円筒形フィルター(10）は高リサイクルができるようになり、アフターサービス費用の改善、原価の低減がなされる。
【００４１】
一方、図7は本発明に係るろ紙分離型円筒形フィルターを適用した円筒形エアクリーナーの構成を示す。
【００４２】
図示された通り、円筒形エアクリーナー(100）は、第1円筒形フィルター(1)、第1円筒形フィルター(1)を収めたケース(110)、ケース(110)に備えられ外部空気をケース(110）の内部に流入させる通路として作用するインレットポート(120-1)、ケース(110)に備えられケース(110）の内部で第1円筒形フィルター(1）で浄化された外部空気を送り出す通路として作用するアウトレットポート(120-2）から構成される。
【００４３】
前記ケース(110）は、開閉型の構造をなすことによって円筒形フィルターろ紙(5）の取替え時に第1円筒形フィルター(1)をケース(110)から取り出すことができる。前記インレットポート(120-1)と前記アウトレットポート(120-2）は車両の吸気系(Intake  System)を構成して外部空気を導入する吸気ライン上に連結される。
【００４４】
前記円筒形エアクリーナー(100）の作動が行われると、吸気ラインからインレットポート(120-1)を通してケース(110）の内部に入ってきた外部空気は、円筒形フィルターろ紙(5)を通過してろ紙ホルダー(3)に設けられた多数のホールを通してろ紙ホルダー(3）の内部に流入され、引き続き上部固定板(4）が備えられたろ紙ホルダー(3)側を通してフィルター本体(2)を抜け出た後、アウトレットポート(120-2)を通して吸気ラインに送り戻される。
【００４５】
この場合、前記第1円筒形フィルター(1）は、図1、2に示された第1円筒形フィルター(1)である。したがって、前記第1円筒形フィルター(1）は、図3乃至6に示された第2円筒形フィルター(10）と取り替え得る。その結果、前記円筒形エアクリーナー(100）は高リサイクルのできる第1円筒形フィルター(1)を使用することによってアフターサービス費用の改善、原価の低減と共に完成車メーカーに対するイメージが向上できる。
【００４６】
前述の通り、本実施例に係る円筒形エアクリーナー(100)には、空気に含まれた異物を除去する円筒形フィルターろ紙(5)が嵌め込まれるフィルター本体(2)、円筒形フィルターろ紙(5)を固定するようにフィルター本体(2）の連結エンド(3-1)に結合されるとともに、円筒形フィルターろ紙(5)を除去できるように連結エンド(3-1)と螺子タイプ締結方式やロッキングタイプ嵌め込み方式、または螺子タイプ嵌め込み方式で着脱される下部固定板(7）を有するろ紙分離型円筒形フィルターが適用されることによって、使用後汚染された円筒形フィルターろ紙(5)だけを交換することができ、これを通しての円筒形フィルターの高リサイクルによってアフターサービス費用の改善、原価の低減と共に完成車メーカーに対するイメージが向上できる。
【符号の説明】
【００４７】
1、10:第1、2円筒形フィルター
2:フィルター本体
3:ろ紙ホルダー
3-1:連結エンド
3A:雄螺子山
4:上部固定板
5:円筒形フィルターろ紙
5-1、5-2:上、下部円形紙
7:下部固定板
7-1:コネクティング溝
7A:雌螺子山
30A:突出面
70A:段差面
70-1:コネクティングボス
100:円筒形エアクリーナー
110:ケース
120-1:インレットポート
120-2:アウトレットポート
【図１】
2017001008.tif 000003
【図２】
2017001008.tif 000004
【図３】
2017001008.tif 000005
【図４】
2017001008.tif 000006
【図５】
2017001008.tif 000007
【図６】
2017001008.tif 000008
【図７】
2017001008.tif 000009